(57)【特許請求の範囲】
【請求項１】
エフエックスマージン取引レント取引サービス提供会社が運用する会社サーバーがエフエックスマージン取引市場で投資家の資格で取り引きするための委託証拠金とスプレッド費用を負担する取引契約を通じて少なくとも１個以上のエフエックスマージン取引商品を保有する第１過程；
前記会社サーバーが現在保有中のエフエックスマージン取引商品をレント開始時刻とレント終了時刻が定められたレント開始時間帯別にレント数量に応じて種類を区別し分割して差損失格を表すストップポジションおよび差益実現を表すリミットポジションを設定することによって、少なくとも１個以上の分割商品を作って分割商品別にレント保証金を設定する第２過程；
エフエックスマージン取引レント取引サービス要請会員が使う会員端末が前記会社サーバーに接続してログインすると、会社サーバーが分割商品別に区別されるレント開始時間とストップポジション、リミットポジション、レント保証金、およびレント取引契約申請ボタンを前記会員端末に表示する第３過程；
前記会員端末に表示された前記分割商品のレント取引契約申請ボタンが押された後に前記会員端末が該当分割商品のレント保証金を前払いで決済すると、前記会社サーバーがレント保証金が前払いで決済された該当分割商品のレント取引契約を確定し、会員がレント取引趨勢を確認してレント取引契約申請をするように前記会員端末に分割商品別レント取引の現況を案内する第４過程；
前記分割商品のレント取引契約が確定した後、前記会社サーバーが該当レント取引契約のレント開始時刻からエフエックスマージン取引市場でのリアルタイム為替レート変動値グラフを前記会員端末に表示するとともに、前記為替レート変動値グラフ上に現在レント取り引きされている前記分割商品に対して定められたレント開始時間帯にストップポジション到達案内線およびリミットポジション到達案内線を自動で表示した状態で、前記為替レート変動値によってレント取引契約会員がレントした分割商品が前記ストップポジションあるいは前記リミットポジションに到達するかを判別する第５過程；
前記会社サーバーが現在レント取り引きされている前記分割商品の為替レート変動値が該当レント開始時間帯に前記ストップポジションに到達したと判別すると、前記ストップポジション到達案内線を点灯あるいは点滅表示させて差損失格を会員に通知し、現在レント取り引きされている前記分割商品の為替レート変動値が該当レント開始時間帯に前記リミットポジションに到達したと判別すると、前記リミットポジション到達案内線を点灯あるいは点滅表示させて差益実現を会員に通知する第６過程；および、
前記レント取引契約会員がレントした前記分割商品が前記ストップポジションあるいは前記リミットポジションに到達したと判別されると、前記会社サーバーが差損失格あるいは差益実現を判定し、該当会員のレント取引契約を満了して前記会員端末に通知し、差損失格時は前記レント保証金を差損金として精算し、差益実現時は前記レント保証金と約定した差益分配金を合算して差益金として精算する第７過程；
からなることを特徴とする、エフエックスマージン取引レント取引方法。
【請求項２】
前記第２過程では、前記会社サーバーが現在保有中のエフエックスマージン取引商品を少なくとも１個以上の買いポジション分割商品とすることを特徴とする、請求項１に記載のエフエックスマージン取引レント取引方法。
【請求項３】
前記第２過程では、前記会社サーバーが現在保有中のエフエックスマージン取引商品を少なくとも１個以上の売りポジション分割商品とすることを特徴とする、請求項１に記載のエフエックスマージン取引レント取引方法。
【請求項４】
前記第２過程では、前記会社サーバーが現在保有中のエフエックスマージン取引商品を少なくとも１個以上の買いポジション分割商品と少なくとも１個以上の売りポジション分割商品とすることを特徴とする、請求項１に記載のエフエックスマージン取引レント取引方法。
【請求項５】
前記第４過程では、前記会社サーバーが前記会員端末に表示される前記レント取引契約申請ボタンの色相を変化させて残存のレント取引契約個数の変動を表示する方式、前記会社サーバーが前記会員端末に残存のレント取引契約個数の変動を表す信号灯を表示する方式、前記会社サーバーは前記会員端末に残存のレント取引契約個数を数字で表示する方式のうちいずれか一つあるいは二つ以上で分割商品別レント取引現況を案内することを特徴とする、請求項１に記載のエフエックスマージン取引レント取引方法。
【請求項６】
前記第４過程では、前記会社サーバーが前記分割商品別にレント取引契約を確定し、それぞれのレント取引契約別にプリントされ、レント開始時刻とストップポジション、リミットポジション、差損失格時に差損金として消滅精算するレント保証金、差益実現時にレント保証金と共に支給する差益分配金、および会員ＩＤが明示されたレント前払い契約書を該当レント取引契約会員別に発行して自動保存することを特徴とする、請求項１に記載のエフエックスマージン取引レント取引方法。
【請求項７】
前記第６過程では、前記分割商品のレント取引契約が該当レント開始時間帯に満了すると、前記会員端末が該当分割商品の差損失格あるいは差益実現を判定した結果を為替レート変動値グラフ上に表示して会員に通知することを特徴とする、請求項１に記載のエフエックスマージン取引レント取引方法。
【請求項８】
前記第６過程では、前記分割商品のレント取引契約が該当レント開始時間帯に満了しないと、前記会社サーバーがレント取引契約が満了していない分割商品の為替レート変動値が該当分割商品のストップポジションまたはリミットポジションに到達する時点までにレント取引契約期間を無期限延長し、契約期間が延長される取り引きの総個数、すなわち契約期間が延長される分割商品の総個数だけのレント取引契約を制限し、延長期間の間レント取引契約が満了していない分割商品の為替レート変動値が該当分割商品のストップポジションあるいはリミットポジションに到達すると同時にレント取引契約を満了することを特徴とする、請求項１に記載のエフエックスマージン取引レント取引方法。
【請求項９】
前記第７過程では、前記会社サーバーが差損失格時は前記レント保証金を差損金として精算して、現在清算せずに保有中のエフエックスマージン取引商品に対するマージンコール（Ｍａｒｇｉｎ  Ｃａｌｌ）通知時に追加入金する予備委託証拠金として累積保管することを特徴とする、請求項１に記載のエフエックスマージン取引レント取引方法。
【請求項１０】
前記第７過程では、前記会社サーバーが差損失格時は前記レント保証金を差損金として精算して現在清算せずに保有中のエフエックスマージン取引商品に対するマージンコール（Ｍａｒｇｉｎ  Ｃａｌｌ）通知時に追加入金する予備委託証拠金として累積保管し、会員のレント取引時に発生する前記差益金の合算金額が累積された前記予備委託証拠金未満となるように前記差益分配金を約定した比率で減額して支給することによって、会員のレント取引時に前記差益金支給不履行（ｄｅｆａｕｌｔ）を防止することを特徴とする、請求項１に記載のエフエックスマージン取引レント取引方法。
【発明の詳細な説明】
【技術分野】
【０００１】
本発明はエフエックス（ＦＸ；Ｆｏｒｅｉｇｎ  Ｅｘｃｈａｎｇｅ）マージン取引方法に関するもので、より詳細にはエフエックスマージン取引レント取引方法に関するものである。
【背景技術】
【０００２】
今日コンピュータが広く普及し、インターネットの速度も急速に早く運用されるにつれて、電子商取引などのコンピュータを利用する分野も多様に拡散している。
【０００３】
このため、株式や先物、オプションなどは以前からインターネット上でリアルタイムに取り引きをチェックして売買取り引きを行っており、最近では世界の為替レートの差による為替差益を狙った取り引きを行ってマージンを得るエフエックスマージン取り引きが投資家の注目を集めている。
【０００４】
前記エフエックスマージン取り引きは、基準通貨／相手通貨からなる通貨ペアで商品を構成し、基本契約単位はロット（ｌｏｔ）といい、１ロットは基準通貨×１０００００と設定され、通常基準通貨ＵＳＤ（アメリカドル）を基準として＄１００，０００に該当する。
【０００５】
以下の説明では、＄１のウォン為替レートが千ウォンの場合を前提とする。
【０００６】
また、エフエックスマージン取り引きの呼び値単位はピップス（ＰＩＰ；Ｐｅｒｃｅｎｔａｇｅ  Ｉｎ  Ｐｏｉｎｔ）といい、１ピップスはＩＳＯ（国際標準協会）で定められた規定に沿って通貨ペアの為替レート単位の０．０００１と設定され、通常１ピップスは＄１０（１０，０００ウォン）の価値があり、例外的に日本円貨を含む通貨ペアは為替レート単位の０．０１が１ピップスとなる。最近ではエフエックスマージン取引時にさらに詳しい為替レートを表示するために、日本円貨を含む通貨ペアは小数点３桁まで（例えば、０．００１まで）表示し、日本円貨を除いた残りの通貨ペアは小数点５桁まで（例えば、０．００００１まで）表示する趨勢である。
【０００７】
前記エフエックスマージン取り引きは、株式や先物取り引きのように大規模な資金が不要であり、レバレッジ効果によって１ロットの取引時に、すなわち１回に＄１００，０００（１００，０００，０００ウォン）の取引時に、例えば契約金額＄１００，０００（１００，０００，０００ウォン）の１０％に該当する委託証拠金＄１０，０００（１０，０００，０００ウォン）で＄１００，０００（１００，０００，０００ウォン）の取り引きをすることができるので、個人の投資家にとって小資本で高い差益の機会を提供することができ、かなり人気がある。
【０００８】
前記エフエックスマージン取り引きは、通常契約単位当たり１０％に該当する委託証拠金が必要とされ、委託証拠金の５０％水準に該当する維持証拠金以上にならないと取り引きが維持されない。特に、投資家が直接２４時間の間取引市場の状況を確認して対応することが難しく、投資家の過度な損失を防止するために、前記の維持証拠金未満になるとエフエックスマージン取引の売買注文を処理する先物会社が投資家が保有したすべての契約（例えば、売りポジションあるいは買いポジション）をロスカット（Ｌｏｓｓ  Ｃｕｔ）し、ロスカット前に、前記の維持証拠金が通常委託証拠金の６０〜７０％水準を下回る場合、マージンコール（Ｍａｒｇｉｎ  Ｃａｌｌ）を通知して委託証拠金の追加入金を案内するか投資家が保有中の契約のうち一部を清算することを推奨する。
【０００９】
例えば、前記エフエックスマージン取り引きは、基本契約単位１ロット当たり契約金額＄１００，０００（１００，０００，０００ウォン）の１０％に該当する委託証拠金＄１０，０００（１０，０００，０００ウォン）を必要とし、委託証拠金の５０％水準に該当する維持証拠金＄５，０００（５，０００，０００ウォン）未満になると前記の１ロットの契約がロスカットされる。
【００１０】
特に、前記エフエックスマージン取り引きは、１回の取引当たりスプレッドが与えられ、スプレッドは買値と売値の為替レートの変化量、すなわち買値と売値の差であって、ピップス単位で表示され、銀行で顧客の要請によって注文を受ける場合、他の銀行または国際外国為替市場から該当通貨を買うか売らなければならないので、買値と売値に必ずギャップが発生し、取り引きが頻繁な通貨であるほどスプレッドが狭く、ローカル通貨であるほどスプレッドが広い。このようなスプレッドは１回の取引当たり１回支出されるものであって、手数料と言ってもよい。
【００１１】
図１はエフエックスマージン取り引きのメカニズムを示す構成図であって、投資家が韓国内の先物会社に取り引きのための委託証拠金を納入して売買注文を出すと、韓国内の先物会社は該当売買注文を直ちに海外にある外国為替仲介会社（ＦＣＭ）に伝達し、海外の外国為替仲介会社（ＦＣＭ）は全世界から入ってきた投資家の注文を集めて自分たちが取り引きする国際銀行に引き渡し、通常エフエックスマージン取引商品は買いポジションと売りポジションに区分されるので、この過程をポジション進入といい、このようにポジション進入状態の国際銀行は国際銀行間の市場（Ｉｎｔｅｒｂａｎｋ  Ｍａｒｋｅｔ）で注文を受け入れることができる他の銀行を探して注文を引き渡すことによって、投資家の注文が処理される。
【００１２】
この時、処理された注文は投資家に処理通知され、いつでも投資家は処理された注文を買い／売りして清算することができる。
【００１３】
前記のようなエフエックスマージン取り引きを行うにおいて、通常初心者は実戦教育なしに理論のみを熟知して取り引きするため投資損失を起こす場合が多く、特に１回の取り引きをするたびに取引費用として支出されるスプレッドによる損失が投資損失の主をなしている。
【００１４】
例えば、前記の通り、１ロットの取引時に、１０％の少ない証拠金（１０，０００，０００ウォン）で＄１００，０００（１億ウォン）の取り引きができる場合、１回に１ロットの単位でエフエックスマージン取り引きをするたびに、１回の取引費用として支出されるスプレッドが５ピップス（ｐｉｐ）で概略＄５０（５０，０００ウォン）であれば、取引回数が多くなるほどスプレッド費用は増加し続けることとなり、スプレッド費用よりも高い投資利益を得ないと、結果として、投資損失を招くことになる。
【００１５】
例えば、エフエックスマージン取引の１ロット１回のスプレッドが５ピップス（ｐｉｐ）で概略＄５０（５０，０００ウォン）と仮定し、投資家が１日に１ロット単位の取り引きを８回実行する場合、１日当たり＄４００（４００，０００ウォン）のスプレッド費用が支出され、年平均２００日の取引の１６００回を基準とする時、累積スプレッド費用は８０，０００，０００ウォンに近い水準である。
【００１６】
したがって、投資家は年平均２００日の間前記のように、１日に１ロット単位の取り引きを８回実行する場合、年平均８０，０００，０００ウォンの累積スプレッド費用よりも高い投資利益を得ないと、結果として投資損失を招くことになり、取引回数が多くなるほど増える累積スプレッド費用による損失が投資損失の主をなすようになる。
【００１７】
一方、初心者の個人投資家は実際のエフエックスマージン取り引きをする前に、韓国内の先物会社からオンラインを通じて提供される模擬取引プログラムを利用して取引の訓練をしてから実際のエフエックスマージン取り引きをしている。
【００１８】
前記のように、初心者の個人投資家が模擬取引プログラムを利用すると、実際のエフエックスレント取り引きのための委託証拠金を取引口座に入金する必要がなく、スプレッド費用による損失と実際の投資損失を受けることなく取引の訓練をすることはできるものの、模擬取引プログラムは実際の取り引きと比べてその体験度が大きく異なるため、実際のエフエックスマージン取り引きにおいて目立った成果を期待し難い。
【００１９】
また、前記の模擬取引プログラムを利用する取り引きは実際の投資ではないため、差益が発生せず、実際に差益を望む投資家の欲求を満たすことができない。
【発明の概要】
【発明が解決しようとする課題】
【００２０】
本発明は前記のような従来の問題点を解決するためのものであって、本発明の目的は、エフエックスマージン取引レント取引サービスを提供する会社サーバーがエフエックスマージン取引市場で投資家の資格で取り引きするための委託証拠金とスプレッド費用を負担し、売買したエフエックスマージン取引商品を清算せずに保有する間、保有中のエフエックスマージン取引商品をレント開始時刻とレント終了時刻が定められたレント開始時間帯別にレント数量に応じて種類を区別し分割して差損失格を表すストップポジションおよび差益実現を表すリミットポジションを設定することによって、少なくとも１個以上の分割商品を作り、分割商品別に設定したレント保証金を前払いで受け取って会員とレント取引契約をし、前記レント開始時間帯のレント開始時刻からエフエックスマージン取引市場でのリアルタイム為替レート変動値によってレント取引契約会員がレントした分割商品が前記ストップポジションあるいは前記リミットポジションに到達すると差損失格と差益実現を判定して該当会員のレント取引契約を満了し、差損失格時は前記レント保証金を差損金として精算し、差益実現時は前記レント保証金と約定した差益分配金を合算して差益金として精算して会員に支給する、エフエックスマージン取引レント取引方法を提供することである。
【課題を解決するための手段】
【００２１】
前記のような本発明の目的を達成するために、本発明に係るエフエックスマージン取引レント取引方法は、エフエックスマージン取引レント取引サービス提供会社が運用する会社サーバーがエフエックスマージン取引市場で投資家の資格で取り引きするための委託証拠金とスプレッド費用を負担する取引契約を通じて少なくとも１個以上のエフエックスマージン取引商品を保有する第１過程と；前記会社サーバーが現在保有中のエフエックスマージン取引商品をレント開始時刻とレント終了時刻が定められたレント開始時間帯別にレント数量に応じて種類を区別し分割して差損失格を表すストップポジションおよび差益実現を表すリミットポジションを設定することによって、少なくとも１個以上の分割商品を作って分割商品別にレント保証金を設定する第２過程；エフエックスマージン取引レント取引サービス要請会員が使う会員端末が前記会社サーバーに接続してログインすると、会社サーバーが分割商品別に区別されるレント開始時間とストップポジション、リミットポジション、レント保証金、およびレント取引契約申請ボタンを前記会員端末に表示する第３過程；前記会員端末に表示された前記分割商品のレント取引契約申請ボタンが押された後に前記会員端末が該当分割商品のレント保証金を前払いで決済すると、前記会社サーバーがレント保証金が前払いで決済された該当分割商品のレント取引契約を確定し、会員がレント取引の趨勢を確認してレント取引契約申請をするように前記会員端末に分割商品別レント取引現況を案内する第４過程；前記分割商品のレント取引契約が確定した後、前記会社サーバーが該当レント取引契約のレント開始時刻からエフエックスマージン取引市場でのリアルタイム為替レート変動値グラフを前記会員端末に表示するとともに、前記為替レート変動値グラフ上に現在レント取り引きされている前記分割商品に対して定められたレント開始時間帯にストップポジション到達案内線およびリミットポジション到達案内線を自動で表示した状態で、前記為替レート変動値によってレント取引契約会員がレントした分割商品が前記ストップポジションあるいは前記リミットポジションに到達するかを判別する第５過程；前記会社サーバーが現在レント取り引きされている前記分割商品の為替レート変動値が該当レント開始時間帯に前記ストップポジションに到達したと判別すると前記ストップポジション到達案内線を点灯あるいは点滅表示させて差損失格を会員に通知し、現在レント取り引きされている前記分割商品の為替レート変動値が該当レント開始時間帯に前記リミットポジションに到達したと判別すると前記リミットポジション到達案内線を点灯あるいは点滅表示させて差益実現を会員に通知する第６過程；および、前記レント取引契約会員がレントした前記分割商品が前記ストップポジションあるいは前記リミットポジションに到達したと判別されると前記会社サーバーが差損失格あるいは差益実現を判定して該当会員のレント取引契約を満了して前記会員端末に通知し、差損失格時は前記レント保証金を差損金として精算し、差益実現時は前記レント保証金と約定した差益分配金を合算して差益金として精算する第７過程；からなることを特徴とする。
【００２２】
本発明に係るエフエックスマージン取引レント取引方法において、前記第２過程では、前記会社サーバーが現在保有中のエフエックスマージン取引商品を少なくとも１個以上の買いポジション分割商品とすることを特徴とする。
【００２３】
本発明に係るエフエックスマージン取引レント取引方法において、前記第２過程では、前記会社サーバーが現在保有中のエフエックスマージン取引商品を少なくとも１個以上の売りポジション分割商品とすることを特徴とする。
【００２４】
本発明に係るエフエックスマージン取引レント取引方法において、前記第２過程では、前記会社サーバーが現在保有中のエフエックスマージン取引商品を少なくとも１個以上の買いポジション分割商品と少なくとも１個以上の売りポジション分割商品とすることを特徴とする。
【００２５】
本発明に係るエフエックスマージン取引レント取引方法において、前記第４過程では、前記会社サーバーが前記会員端末に表示される前記レント取引契約申請ボタンの色相を変化させて残存のレント取引契約個数の変動を表示する方式、前記会社サーバーが前記会員端末に残存のレント取引契約個数の変動を表す信号灯を表示する方式、前記会社サーバーは前記会員端末に残存のレント取引契約個数を数字で表示する方式のうちいずれか一つあるいは二以上で分割商品別レント取引の現況を案内することを特徴とする。
【００２６】
本発明に係るエフエックスマージン取引レント取引方法において、前記第４過程では、前記会社サーバーが前記分割商品別にレント取引契約を確定し、それぞれのレント取引契約別にプリントされ、レント開始時刻とストップポジション、リミットポジション、差損失格時に差損金として消滅精算するレント保証金、差益実現時にレント保証金と共に支給する差益分配金、および会員ＩＤが明示されたレント前払い契約書を該当レント取引契約会員別に発行して自動保存することを特徴とする。
【００２７】
本発明に係るエフエックスマージン取引レント取引方法において、前記第６過程では、前記分割商品のレント取引契約が該当レント開始時間帯に満了すると、前記会員端末が該当分割商品の差損失格あるいは差益実現を判定した結果を為替レート変動値グラフ上に表示して会員に通知することを特徴とする。
【００２８】
本発明に係るエフエックスマージン取引レント取引方法において、前記第６過程では、前記分割商品のレント取引契約が該当レント開始時間帯に満了しないと、前記会社サーバーがレント取引契約が満了していない分割商品の為替レート変動値が該当分割商品のストップポジションまたはリミットポジションに到達する時点までレント取引契約期間を無期限延長し、契約期間が延長される取り引きの総個数、すなわち契約期間が延長される分割商品の総個数だけのレント取引契約を制限し、延長期間の間レント取引契約が満了していない分割商品の為替レート変動値が該当分割商品のストップポジションあるいはリミットポジションに到達すると同時にレント取引契約を満了することを特徴とする。
【００２９】
本発明に係るエフエックスマージン取引レント取引方法において、前記第７過程では、前記会社サーバーが差損失格時は前記レント保証金を差損金として精算して現在清算せずに保有中のエフエックスマージン取引商品に対するマージンコール（Ｍａｒｇｉｎ  Ｃａｌｌ）通知時に追加入金する予備委託証拠金として累積保管することを特徴とする。
【００３０】
本発明に係るエフエックスマージン取引レント取引方法において、前記第７過程では、会員のレント取引時に発生する前記差益金の合算金額が累積された前記予備委託証拠金未満となるように前記差益分配金を約定した比率で減額して支給することによって、会員のレント取引時に前記差益金支給不履行（ｄｅｆａｕｌｔ）を防止することを特徴とする。
【発明の効果】
【００３１】
本発明は、会社サーバーがエフエックスマージン取引市場で投資家の資格で取り引きするための委託証拠金を負担し、エフエックスマージン取引商品を売買するので、会員は実際のエフエックスマージン取引時に必要とする高額の取引用委託証拠金を負担せずとも実際のエフエックスマージン取り引きをレントして練習することができる。特に、会社サーバーがエフエックスマージン取引市場で投資家の資格でスプレッド費用を負担し、売買するエフエックスマージン取引商品で作った分割商品に対する小額のレント保証金を前払いで受け取ってレント取り引きをするので、会社サーバーがエフエックスマージン取引商品を清算せずに保有している間、会員はスプレッド費用を浪費することなく実際のエフエックスマージン取り引きをレントして練習することができる。会員が本発明に係るエフエックスマージン取引レント取引サービスを利用すると、レントした分割商品の差損失格時に前記の小額のレント保証金を差損金として精算し、差益実現時に前記レント保証金とレントしたエフエックスマージン取引商品に対して約定した差益分配金を合算して差益金として支給を受けるので、差損金を小額のレント保証金に限定して最小化しながらも差益金を最大化する大貪小失（大きいものを得るために小さいものは捨てる）のエフエックスマージン取引の習慣を体得し、前記差益金を会員の実際の投資利益に実現して再びレント取り引きを契約することができる。
【００３２】
本発明は、会社サーバーが会員の端末に分割商品別レント取引現況を案内するので、会員が取り引きが多かったり少ないレント取引の趨勢を確認して差益実現が有利な方にレント取引契約申請をすることができる。
【００３３】
本発明は、ストップポジション到達案内線とリミットポジション到達案内線を点灯あるいは点滅表示させて差損失格と差益実現を会員に通知するため、会員が便利かつ速かにレント取り引きの差損失格と差益実現の有無を確認することができる。
【００３４】
本発明は分割商品のレント取引契約が該当レント開始時間帯に満了すると、会員端末が分割商品の差損失格あるいは差益実現を判定した結果を為替レート変動値グラフ上に表示して会員に通知するため、会員が便利かつ速かにレント取り引きの差損失格と差益実現の趨勢を確認して差益実現が有利な方にレント取引契約申請をすることができる。
【００３５】
本発明は、会員のレント取引時に発生する差益金の合算金額が累積された予備委託証拠金未満となるように差益分配金を約定した比率で減額して支給することによって、会員のレント取引時に前記差益金支給不履行（ｄｅｆａｕｌｔ）を防止することができる。
【００３６】
本発明は、現在レント取り引きされている分割商品のレント取引契約が満了するまでに該当分割商品のレント取引契約期間を延長し、契約期間が延長される取り引きの総個数だけのレント取引契約を制限することによって、エフエックスマージン取引レント取引サービスを提供する会社サーバーが保有しているエフエックスマージン取引商品とした分割商品がレント取引契約が満了していない状態で二重あるいは多重に不法レント取り引きされることを防止してレント取引サービスの信頼度を向上する。
【図面の簡単な説明】
【００３７】
【図１】通常のエフエックスマージン取り引きのメカニズムを示した構成図。
【図２】本発明に係るエフエックスマージン取引レント取引方法を遂行するエフエックスマージン取引レント取引システムの構成を示したブロック図。
【図３】本発明によりエフエックスマージン取引商品を定められたレント開始時間帯別のレント数量に応じて種類を区別し分割して作った分割商品を表示する画面を例示した実施例。
【図４】分割商品別レント取引現況を案内する画面を例示した実施例。
【図５】本発明に係るレント前払い契約書の実施例。
【図６】本発明に係るレント保証金を前払いで決済する入金申請画面を例示した実施例。
【図７】図６の入金申請画面にレント保証金が入金完了した状態を例示した実施例。
【図８】本発明に係るエフエックスマージン取引商品とした分割商品に対するレント取引契約のレント開始時刻から表示されるエフエックスマージン取引市場でのリアルタイム為替レート変動値グラフを例示した実施例。
【図９】図８で現在レント取り引きされている分割商品の為替レート変動値が該当レント開始時間帯にリミットポジションに到達した状態を示した実施例。
【図１０】本発明に係るエフエックスマージン取引商品とした分割商品のレント取引後に差損失格あるいは差益実現を判定した結果を為替レート変動値グラフ上に表示した画面を例示した実施例。
【図１１】本発明に係るエフエックスマージン取引商品とした分割商品のレント取引結果差損失格あるいは差益実現を判定し、会員のレント取引契約を満了して通知する画面を例示した実施例。
【図１２】本発明に係るエフエックスマージン取引商品とした分割商品のレント取引結果差損失格あるいは差益実現を判定したデータテーブル画面を例示した第１実施例。
【図１３】本発明に係るエフエックスマージン取引商品とした分割商品のレント取引結果差損失格あるいは差益実現を判定したデータテーブル画面を例示した第２実施例。
【図１４】本発明に係るエフエックスマージン取引商品とした分割商品のレント取引結果差損失格あるいは差益実現を判定したデータテーブル画面を例示した第３実施例。
【図１５】本発明に係るエフエックスマージン取引商品とした分割商品のレント取引結果差損失格あるいは差益実現を判定したデータテーブル画面を例示した第４実施例。
【図１６】本発明に係るレント保証金と約定した差益分配金を合算した差益金を支給する出金申請画面を例示した実施例。
【図１７】図１６の出金申請画面に出金申請額が出金完了した状態を例示した実施例。
【発明を実施するための形態】
【００３８】
以下、本発明の好ましい実施例を添付図面を参照してさらに詳細に説明する。
【００３９】
図２を参照すると、本発明に係るエフエックスマージン取引レント取引方法を遂行するエフエックスマージン取引レント取引システムは、会社サーバー１０と会員端末２０を含んで構成される。
【００４０】
前記会社サーバー１０は、エフエックスマージン取引レント取引サービス提供会社が運用し、前記会員端末２０と有無線通信網（例えば、有線インターネット、無線インターネット、移動電話網など）を通じて通信しながらエフエックスマージン取引レント取引方法を遂行する。
【００４１】
前記会社サーバー１０は有無線通信網（例えば、有線インターネット、無線インターネット、移動電話網など）を通じて通信できるサーバーコンピュータ、パソコン、デスクトップなどを使うことが好ましい。
【００４２】
前記会員端末２０は、エフエックスマージン取引レント取引サービス対象会員が使用し、前記会社サーバー１０と有無線通信網（例えば、有線インターネット、無線インターネット、移動電話網など）を通じて通信しながらエフエックスマージン取引レント取引方法を遂行する。
【００４３】
前記会員端末２０は、有無線通信網（例えば、有線インターネット、無線インターネット、移動電話網など）を通じて通信できるパソコン、デスクトップ、モバイル通信機器（例えば、スマートフォン、タブレット、ノートパソコンなど）を使うことが好ましい。
【００４４】
前記のように構成される本発明に係るエフエックスマージン取引レント取引システムによって本発明に係るエフエックスマージン取引レント取引方法は、次のように遂行される。
【００４５】
まず、前記会社サーバー１０は、エフエックスマージン取引市場で投資家の資格で取り引きするための委託証拠金とスプレッド費用を負担する取引契約を通じて少なくとも１個以上のエフエックスマージン取引商品を保有する（第１過程）。
【００４６】
例えば、前記会社サーバー１０は取引契約を通じて、少なくとも１個以上の買いポジションエフエックスマージン取引商品をＮ個保有するか、少なくとも１個以上の売りポジションエフエックスマージン取引商品をＭ個保有する。この時、総Ｎ＋Ｍ個のエフエックスマージン取引商品は、０＜Ｎ＋Ｍであり、Ｎ≠ＭまたはＮ＝Ｍの関係を形成する。
【００４７】
もし、前記会社サーバー１０が保有した総Ｎ＋Ｍ個のエフエックスマージン取引商品が、０＜Ｎ＋Ｍであり、Ｎ≠Ｍであれば買いポジションエフエックスマージン取引商品の個数が売りポジションエフエックスマージン取引商品の個数よりも多いか、反対に売りポジションエフエックスマージン取引商品の個数が買いポジションエフエックスマージン取引商品の個数よりも多い場合に該当する。
【００４８】
これとは異なり、もし前記会社サーバー１０が保有した総Ｎ＋Ｍ個のエフエックスマージン取引商品が、０＜Ｎ＋Ｍであり、Ｎ＝Ｍであれば買いポジションエフエックスマージン取引商品の個数と売りポジションエフエックスマージン取引商品の個数が同じ場合に該当する。
【００４９】
この時、前記会社サーバー１０は、図１に示したようなエフエックスマージン取り引きのメカニズムを通じて取引所市場で投資家の資格で韓国内の先物会社に取り引きするための委託証拠金を納入して売買注文を出し、売買注文を出すたびにスプレッド費用を負担し、エフエックスマージン取引商品を売買して保有する。
【００５０】
このように、前記会社サーバー１０がエフエックスマージン取引市場で投資家の資格で取り引きするための委託証拠金を負担し、エフエックスマージン取引商品を売買するので、会員は実際のエフエックスマージン取引時に必要とする高額の取引用委託証拠金を負担せずとも実際のエフエックスマージン取り引きをレントして練習することができる。
【００５１】
この状態で、前記会社サーバー１０は、現在保有中のエフエックスマージン取引商品をレント開始時刻とレント終了時刻が定められたレント開始時間帯別にレント数量によって種類を区別し分割して差損失格を表すストップポジションおよび差益実現を表すリミットポジションを設定することによって、少なくとも１個以上の分割商品を作って分割商品別にレント保証金を設定する（第２過程）。
【００５２】
この時、前記会社サーバー１０は、現在保有中のエフエックスマージン取引商品を少なくとも１個以上の買いポジション分割商品とするか、少なくとも１個以上の売りポジション分割商品とするか、少なくとも１個以上の買いポジション分割商品と少なくとも１個以上の売りポジション分割商品とすることができる。
【００５３】
例えば、前記会社サーバー１０が前記の総Ｎ＋Ｍ（０＜Ｎ＋Ｍであり、Ｎ≠ＭまたはＮ＝Ｍ）個のエフエックスマージン取引商品を清算せずに保有している状態で、前記会社サーバー１０は、現在保有中のＮ個の買いポジションエフエックスマージン取引商品をレント開始時刻とレント終了時刻が定められたレント開始時間帯（例えば、１０分帯、２０分帯、３０分帯、１時間帯等々）別にレント数量によって種類を区別し分割して差損失格を表すストップポジションおよび差益実現を表すリミットポジションを設定することによって、ｎ１（１≦ｎ１≦Ｎ）個の買いポジション分割商品を作るか、ｎ２（１≦ｎ２≦Ｎ）個の売りポジション分割商品を作って総ｎ１＋ｎ２（０＜ｎ１＋ｎ２≦Ｎであり、ｎ１≠ｎ２またはｎ１＝ｎ２）個のレント取引用分割商品を作ることができる。
【００５４】
また、前記会社サーバー１０は、現在保有中のＭ個の売りポジションをレント開始時刻とレント終了時刻が定められたレント開始時間帯別にレント数量によって種類を区別し分割して差損失格を表すストップポジションおよび差益実現を表すリミットポジションを設定することによって、ｍ１（１≦ｍ１≦Ｍ）個の売りポジション分割商品を作るか、ｍ２（１≦ｍ２≦Ｍ）個の買いポジション分割商品を作って総ｍ１＋ｍ２（０＜ｍ１＋ｍ２≦Ｍであり、ｍ１≠ｍ２またはｍ１＝ｍ２）個のレント取引用分割商品を作ることができる。
【００５５】
このように、前記会社サーバー１０は、総Ｎ＋Ｍ（０＜Ｎ＋Ｍであり、Ｎ≠ＭまたはＮ＝Ｍ）個のレント取引用分割商品を作り、それぞれの買いポジション分割商品別レント保証金を設定するか、それぞれの売りポジション分割商品別にレント保証金を設定する。
【００５６】
前記のように、会社サーバー１０が現在保有中のエフエックスマージン取引商品でレント取引用分割商品を作り、それぞれのレント取引用分割商品別にレント保証金を設定しておいた状態で、前記会員端末２０が前記会社サーバー１０に接続してログインすると、前記会社サーバー１０は、前記の分割商品別に区別されるレント開始時間とストップポジション、リミットポジション、レント保証金、およびレント取引契約申請ボタンを前記会員端末２０に表示する（第３過程）。
【００５７】
参考として、図３は本発明により現在保有中のエフエックスマージン取引商品をレント開始時刻とレント終了時刻が定められたレント開始時間帯別に、例えば１０分帯別にレント数量に応じて種類を区別し分割して作った買いポジション分割商品を表示する画面を例示する。
【００５８】
図３では、１７日１６時２０分帯に１ロット、２ロット、１ロットの１０％にレント数量を区別し分割して作った４個の買いポジション分割商品と１７日１６時３０分帯に１ロット、２ロット、１ロットの１０％にレント数量を区別し分割して作った４個の買いポジション分割商品を例示しており、それぞれの買いポジション分割商品別にレント取引契約申請ボタン２１を表示している。図３では、１回のレント取引契約単位１ロット（ｌｏｔ）のレント保証金が５０，０００ウォン（為替レート１＄：１０００ウォン基準時に＄５０）に設定されたものを例示する。
【００５９】
図３において、左側上端に位置した売りボタンが選択されると買いポジション分割商品を表示する画面は売りポジション分割商品を表示する画面に切り換えられ、例えば１７日１６時２０分帯に作った４個の売りポジション分割商品と１７日１６時３０分帯に作った４個の売りポジション分割商品が表示され、それぞれの売りポジション分割商品別にレント取引契約申請ボタン２１が表示される。
【００６０】
図３に例示した買いポジション分割商品のうちレント数量１ロット商品は、５０，０００ウォン（＄５０）をレント取り引きのためのレント保証金に設定し、差損失格を表すストップポジションおよび差益実現を表すリミットポジションをそれぞれ為替レート変動値下がり５０（↓５０）、為替レート変動値上がり５０（↑５０）に設定した商品として設定した商品である。
【００６１】
図３に例示した買いポジション分割商品のうちレント数量２ロット商品は、１００，０００ウォン（＄１００）をレント取り引きのためのレント保証金に設定し、差損失格を表すストップポジションおよび差益実現を表すリミットポジションをそれぞれ為替レート変動値下がり５０（↓５０）、為替レート変動値上がり５０（↑５０）に設定した商品である。
【００６２】
図３に例示した買いポジション分割商品のうちレント数量１ロットの１０％商品は、５，０００ウォン（＄５）をレント取り引きのためのレント保証金に設定し、差損失格を表すストップポジションおよび差益実現を表すリミットポジションをそれぞれ為替レート変動値下がり５０（↓５０）、為替レート変動値上がり５０（↑５０）に設定した商品である。
【００６３】
図３に例示した買いポジション分割商品のうちさらに他のレント数量１ロットの１０％商品は５，０００ウォン（＄５）をレント取り引きのためのレント保証金に設定し、差損失格を表すストップポジションおよび差益実現を表すリミットポジションをそれぞれ為替レート変動値下がり５０（↓５０）、為替レート変動値上がり５００（↑５００）に設定した商品として設定した商品である。
【００６４】
図３では、本発明に係るエフエックスマージン取引レント取引時に詳しい為替レートを表示するために、日本円貨を除いた残りの通貨ペアに対しても為替レート変動値を小数点５桁まで（例えば、０．００００１まで）表示した。この場合、基本通貨であるイギリスポンド（ＧＢＰ）と相手通貨であるオーストラリアドル（ＡＵＤ）からなる通貨ペア（ＧＢＰ／ＡＵＤ）に対してオーストラリアドル（ＡＵＤ）の為替レート変動値がレント開始時刻の始値１．７２９００から開場中に１．７２８５０に下がると為替レート変動値下がり５０（↓５０）のストップポジションに到達することであり、開場中に１．７２９５０に上がると為替レート変動値上がり５０（↑５０）のリミットポジションに到達することであり、開場中に１．７３４００に上がると為替レート変動値上がり５００（↑５００）のリミットポジションに到達することを意味する。
【００６５】
図３を参照して説明した通り、前記それぞれの買いポジション分割商品別（あるいはそれぞれの売りポジション分割商品別）にレント取引契約申請ボタン２１が表示された状態で、会員によって選択されたレント取引契約申請ボタン２１が押された後、前記会員端末２０が該当分割商品のレント保証金を前払いで決済すると、前記会社サーバー１０は、レント保証金が前払いで決済された該当分割商品のレント取引契約を確定し、会員がレント取引趨勢を確認してレント取引契約申請をするように前記会員端末２０に分割商品別レント取引現況を案内する（第４過程）。
【００６６】
このように、会社サーバー１０がエフエックスマージン取引市場で投資家の資格でスプレッド費用を負担し、売買したエフエックスマージン取引商品に対する小額のレント保証金を前払いで受け取ってレント取り引きをするので、会社サーバー１０がエフエックスマージン取引商品を清算せずに保有している間、会員はスプレッド費用を浪費することなく実際のエフエックスマージン取り引きをレントして練習することができる。
【００６７】
また、前記会社サーバー１０が前記会員端末２０に分割商品別レント取引現況を案内するので、会員が取り引きが多かったり少ないレント取引趨勢を確認して差益実現が有利な方にレント取引契約申請をすることができる。
【００６８】
この時、前記会社サーバー１０は、前記会員端末２０に表示される前記レント取引契約申請ボタン２１の色相を変化させて残存のレント取引契約個数の変動を表示することによって分割商品別レント取引の現況を案内する。
【００６９】
例えば、前記会社サーバー１０は、前記会員端末２０に表示される前記レント取引契約申請ボタン２１の色相を青、黄、赤に順次変化させ、該当分割商品の残存レント契約個数が７０％以上であって多いことを意味する大、残存個数が５０％以下であって少ないことを意味する中、残存個数が２０％以下であって非常に少ないことを意味する小を表示することによって、分割商品別レント取引の現況を案内することができる。
【００７０】
もう少し具体的な例を挙げると、会社サーバー１０が図３に示した通り、１７日１６時２０分帯にレント数量１ロットの買いポジション分割商品に対して１０個のレント取引契約を保有している場合、会員は該当分割商品のレント取引契約申請ボタン２１を選択して合計１０個のレント取引契約を申請することができる。この場合、合計１０個のレント取引契約が申請完了する前までに前記会社サーバー１０は、前記会員端末２０に表示される前記レント取引契約申請ボタン２１の色相を青、黄、赤に順次変化させて合計１０個のレント取引契約中の残存個数の大、中、小を表示する。
【００７１】
参考として、図４でハッチング（ｈａｔｃｈｉｎｇ）で表示したレント取引契約申請ボタン２１ａは、図３で１７日１６時２０分帯にレント数量１ロットの１０％（リミットポジション↑５００）である買いポジション分割商品のレント取引契約申請ボタン２１の色が該当分割商品のレント取引契約中の残存個数の大、中、小を表示するために変化した状態を示す。また、図４の締め切りボタン２１ｂは、図３で１７日１６時２０分帯にレント数量２ロット（リミットポジション↑５０）である買いポジション分割商品のレント取引契約申請ボタン２１の文字がレント取引契約が売り切れて締め切られたことを知らせるように申請から締め切りに変化した状態を示す。図４の最新の情報に更新ボタン２２が選択されるたびに前記会員端末２０には定められたレント開始時間帯別にレント数量によって種類を区別し分割して作ったレント取引用分割商品の現在レント取引契約状態がレント取引契約申請ボタン２１を通じて新しく表示される。
【００７２】
前記第４過程において、会社サーバー１０は異なる方式で会員端末２０に分割商品別レント取引現況を案内することができる。
【００７３】
例えば、前記会社サーバー１０は、図３に示した通り、前記会員端末２０に残存のレント取引契約個数の変動を表す信号灯（符号なし）を表示することによって、分割商品別レント取引の現況を案内する。この場合、前記会社サーバー１０は、前記信号灯の色相を青、黄、赤に順次変化させて残存のレント取引契約個数の大、中、小を表示したり、色相を変化させるとともに、図３に示した通り信号灯の内部でレベルゲージの個数や高さを変化させて残存のレント取引契約個数の大、中、小を表示することができる。図４の締め切りボタン２１ｂの右側の信号灯は、１７日１６時２０分帯にレント数量２ロット（リミットポジション↑５０）の買いポジション分割商品のレント取引契約が売り切れて締め切られたことを知らせるようにレベルゲージの内部が空いている状態を表している。
【００７４】
これとは異なり、前記会社サーバー１０は、前記会員端末２０に残存のレント取引契約個数を数字で表示することによって、分割商品別レント取引現況を案内することもできる。例えば、分割商品の残存レント契約個数が７個、あるいは５個、あるいは２個残った場合、前記レント取引契約申請ボタン２１の文字を７あるいは５あるいは２でそれぞれ表示するか、前記信号灯が位置した地点あるいは前記信号灯の右側に数字を表示することができる。
【００７５】
一方、前記第４過程で会員によって選択されたレント取引契約申請ボタン２１が押された後、前記会員端末２０が該当分割商品のレント保証金を前払いで決済すると、前記会社サーバー１０は、該当分割商品別にレント取引契約を確定し、それぞれのレント取引契約別にプリントされ、レント開始時刻とストップポジション、リミットポジション、差損失格時に差損金として消滅精算するレント保証金、差益実現時にレント保証金と共に支給する差益分配金、および会員ＩＤが明示されたレント前払い契約書を該当レント取引契約会員別に発行して自動保存する。
【００７６】
図５は本発明に係るレント前払い契約書の実施例として、会員が買いポジション分割商品のうち、レント開始時刻が２０１７年１０月０５日１３時２０分からであり、差損失格を表すストップポジションおよび差益実現を表すリミットポジションがそれぞれ為替レート変動値下がり５０（↓５０）、為替レート変動値上がり５０（↑５０）に設定されたレント数量１ロットの１０％商品を選択し、レント取り引きのための５，０００ウォン（＄５）のレント保証金を前払いで決済してレント取引契約したことを証明するレント前払い契約書を示している。図５のプリントボタン（符号なし）が選択されるとレント前払い契約書がプリントされる。
【００７７】
その一方で、前記第４過程で会員によって選択されたレント取引契約申請ボタン２１が押された後、前記会員端末２０が該当分割商品のレント保証金を前払いで決済する過程は、前記レント取引契約申請ボタン２１をクリックすると遂行され、有無線通信網（例えば、有線インターネット、無線インターネット、移動電話網など）を通じての売買取引時の公知の決済方法（例えば、カード決済、銀行口座振り替え、モバイル決済など）が活用され得る。
【００７８】
参考として、図６は前記レント取引契約申請ボタン２１が選択されることによって、前記会員端末２０がレント取引契約申請を確認し、選択された前記買いポジション分割商品あるいは前記売りポジション分割商品に対応して設定されたレント保証金を前払いで決済する入金申請画面を例示した実施例であって、会員名表示窓２３、現金保有額表示窓２３ａ、入金対象者の顧客ＩＤ表示窓２３ｂ、顧客名表示窓２３ｃ、入金申請額入力窓２３ｄ、入金申請ボタン２３ｅ、会社口座番号を含む入金申請方法説明窓２３ｆ、顧客ＩＤと顧客名、携帯電話番号、入金申請額、入金申請日時、および結果を含む入金申請内訳表示窓２３ｇを含む。
【００７９】
図６で入金取引内訳ボタン（符号なし）が選択されると前記会員端末２０には会員が入金申請をするたびに前記入金申請内訳表示窓２３ｇに表示される内容が入金申請日時別に整理されて入金取引内訳として表示され、メモ窓（符号なし）には会員が入金申請時に会社サーバー１０の管理者側に伝えようとするメモ内容を入力することができる。
【００８０】
図６は前記のレント保証金が銀行口座振替を通じて会員口座から会社口座に決済完了した後、前記会員端末２０が入金申請額入力窓２３ｄに入金申請額が入力されることを確認し、前記入金申請ボタン２３ｅが選択されることによって会員の入金申請を要請する画面であり、図７は会社サーバー１０が決済完了を確認した後、前記会員端末２０に会員の入金申請完了を知らせる画面である。
【００８１】
図６では会員の現金保有額が０ウォンである状態で前記のレント保証金１０，０００ウォンの入金申請が入金申請内訳表示窓２３ｇに表示され、図７では入金申請内訳表示窓２３ｇに入金完了が表示され、現金保有額表示窓２３ａの現金保有額が１０，０００ウォンに変更した状態を示している。この状態で会員は、現金保有額１０，０００ウォンで前記のレント保証金を前払いで決済してレント取り引きを契約することができ、例えば図５の前払いレント契約書で説明したレント数量１ロットの１０％商品のレント保証金５，０００ウォン（＄５）を前払いで決済するレント取り引きを２回契約することができる。
【００８２】
前記のように、分割商品のレント取引契約が確定した後、前記会社サーバー１０は、該当レント取引契約のレント開始時刻からエフエックスマージン取引市場でのリアルタイム為替レート変動値グラフを前記会員端末２０に表示するとともに、前記為替レート変動値グラフ上に現在レント取り引きされている前記分割商品に対して定められたレント開始時間帯にストップポジション到達案内線２４ａおよびリミットポジション到達案内線２４ｂを自動で表示した状態で、前記為替レート変動値に応じてレント取引契約会員がレントした分割商品が前記ストップポジションあるいは前記リミットポジションに到達するかを判別する（第５過程）。
【００８３】
参考として、図８は本発明に係るエフエックスマージン取引商品とした分割商品に対するレント取引契約のレント開始時刻から表示されるエフエックスマージン取引市場でのリアルタイム為替レート変動値グラフを例示した実施例であって、基本通貨であるイギリスポンド（ＧＢＰ）と相手通貨であるオーストラリアドル（ＡＵＤ）からなる通貨ペア（ＧＢＰ／ＡＵＤ）に対してオーストラリアドル（ＡＵＤ）為替レート変動値が１０分帯別に分割されて１分間隔のバーで表示されている１分バーチャートである。
【００８４】
図８のグラフ上に共に表示される図表は、１０分帯別に分割されて１分間隔のバーで表示されている１分バーチャートの為替レート変動値を１分間隔で始値、高値、安値、終値に区分して表示するデータテーブルである。
【００８５】
例えば、図８で２０１７年１０月１７日１４時４０分帯に会員が買いポジション分割商品のレント取り引きを契約した場合、該当レント取り引きのレント開始時刻は１４時４０分であり、レント終了時刻は１４時４０分４９分帯までとなり、１４時５０分になると１０分帯別にレント数量によって種類を区別し分割して作った新しいレント取り引きが始まる。
【００８６】
図８に示した実施例には前記のレント取り引きのレント開始時刻１４時４０分の為替レート変動値の始値１．５９８９４を基準線２４で表示し、前記の通りレント開始時刻以後の為替レート変動値下がり５０（↓５０）、すなわち為替レート変動値が１．５９８４４に到達して差損失格であることを知らせるためのストップポジション到達案内線２４ａが為替レート変動値１．５９８４４位置に表示されており、為替レート変動値上がり５０（↑５０）、すなわち為替レート変動値が１．５９９４４に到達して差益実現であることを知らせるためのリミットポジション到達案内線２４ｂが為替レート変動値１．５９９４４位置に表示されている。
【００８７】
前記の通り、前記会員端末２０に表示される為替レート変動値グラフ上に現在レント取り引きされている前記分割商品に対して定められたレント開始時間帯にストップポジション到達案内線２４ａおよびリミットポジション到達案内線２４ｂが自動で表示された状態で、現在レント取り引きされている前記分割商品の為替レート変動値が該当レント開始時間帯に前記ストップポジションに到達したと判別すると、会社サーバー１０は前記ストップポジション到達案内線２４ａを点灯あるいは点滅表示させて差損失格を会員に通知し、現在レント取り引きされている前記分割商品の為替レート変動値が該当レント開始時間帯に前記リミットポジションに到達したと判別すると、前記リミットポジション到達案内線２４ｂを点灯あるいは点滅表示させて差益実現を会員に通知する（第６過程）。
【００８８】
このように、前記ストップポジション到達案内線２４ａとリミットポジション到達案内線２４ｂを点灯あるいは点滅表示させると、会員が便利かつ速かにレント取り引きの差損失格と差益実現の有無を確認することができる。
【００８９】
もし、会員が図５の前払いレント契約書で説明したレント数量１ロットの１０％商品を選択してレント取り引きを契約したのであれば、前記会社サーバー１０は、１４時４０分の為替レート変動値の始値１．５９８９４を基準としてレント開始時刻以後の為替レート変動値下がり５０（↓５０）、すなわち為替レート変動値が１．５９８４４に到達すると差損失格と判別し、前記ストップポジション到達案内線２４ａを点灯あるいは点滅表示させて差損失格を会員に通知する。
【００９０】
これとは異なり、前記会社サーバー１０は、１４時４０分の為替レート変動値の始値１．５９８９４を基準としてレント開始時刻以後の為替レート変動値上がり５０（↑５０）、すなわち為替レート変動値が１．５９９４４に到達すると差益実現と判別し、前記リミットポジション到達案内線２４ｂを点灯あるいは点滅表示させて差益実現を会員に通知する。
【００９１】
図９を詳察すると、図８で現在レント取り引きされている買いポジション分割商品の為替レート変動値が該当レント開始時間帯にリミットポジション、例えばリミットポジション到達案内線２４ｂに到達した状態を確認することができる。
【００９２】
図９の１分バーチャートとデータテーブルを詳察すると、２０１７年１０月１７日１４時４０分帯に会員がレント取り引きを契約した買いポジション分割商品の為替レート変動値が基準線２４として表示した４時４０分の始値１．５９８９４から２０１７年１０月１７日１４時４７分帯に為替レート変動値上がり５０（↑５０）、すなわち安値１．５９９４４に到達した状態を確認することができる。
【００９３】
これとは異なり、前記第６過程では本発明に係るエフエックスマージン取引商品とした分割商品のレント取引後に差損失格あるいは差益実現を判定した結果を為替レート変動値グラフ上に表示することができる。例えば、図１０では、会社サーバー１０が売りポジション分割商品あるいは買いポジション分割商品のレント取引後に差損失格あるいは差益実現を判定した結果を為替レート変動値グラフ上のレント開始時刻（例えば、１０：３０、１０：４０、１０：５０）を指示する直線上に表示しているが、この表示位置は該当レント開始時間帯が識別できるところであればどこでもよい。
【００９４】
図１０に示した通り、前記分割商品のレント取引契約が該当レント開始時間帯に満了すると、前記会員端末２０が分割商品の差損失格あるいは差益実現を判定した結果を為替レート変動値グラフ上に表示して会員に通知するので、会員が便利かつ速かにレント取り引きの差損失格と差益実現の趨勢を確認して差益実現が有利な方にレント取引契約申請をすることができる。
【００９５】
一方、前記第６過程で現在レント取り引きされている分割商品のレント取引契約が該当レント開始時間帯に満了しないと、前記会社サーバー２０はレント取引契約が満了していない分割商品の為替レート変動値が該当分割商品のストップポジションまたはリミットポジションに到達する時点までにレント取引契約期間を無期限延長し、契約期間が延長される取り引きの総個数、すなわち契約期間が延長される分割商品の総個数だけのレント取引契約を制限し、延長期間の間レント取引契約が満了していない分割商品の為替レート変動値が該当分割商品のストップポジションあるいはリミットポジションに到達すると同時にレント取引契約を満了する。
【００９６】
例えば、図８〜図９に示した実施例において、２０１７年１０月１７日１４時４０分帯に会員がレント取り引きを契約した買いポジション分割商品が基準線２４として表示した４時４０分の為替レート変動値の始値１．５９８９４から始まって２０１７年１０月１７日１４時４０分帯に為替レート変動値上がり５０（↑５０）、すなわち為替レート変動値が１．５９９４４に到達しないと、前記会社サーバー１０は、２０１７年１０月１７日１４時４０分帯の買いポジション分割商品のレント取引契約が満了していないと判別し、次のレント取引時間帯である２０１７年１０月１７日１４時５０分帯に該当レント取り引きの契約期間を延長し、２０１７年１０月１７日１４時５０分帯に契約できる総レント取引契約個数から契約期間が延長されたレント取引契約を除いて残りのレント取引契約個数だけを契約する。
【００９７】
もし、２０１７年１０月１７日１４時５０分帯に契約期間が延長されたレント取り引きが２０１７年１０月１７日１４時５０分帯においても契約が満了しないと、レント取引契約期間はさらに延長され、延長期間の間為替レート変動値が前記のストップポジションあるいはリミットポジションに到達するとともにレント取引契約が満了する。
【００９８】
このように、本発明は現在レント取り引きされている分割商品のレント取引契約が満了するまでに該当分割商品のレント取引契約期間を無期限延長し、契約期間が延長される取り引きの総個数だけのレント取引契約を制限することによって、エフエックスマージン取引レント取引サービスを提供する会社サーバー１０が保有しているエフエックスマージン取引商品とした分割商品がレント取引契約が満了していない状態で二重あるいは多重に不法レント取り引きされることを防止し、レント取引サービスの信頼度を向上させる。
【００９９】
前記のように、レント取引契約会員がレントした前記分割商品が前記ストップポジションあるいは前記リミットポジションに到達したと判別されると、前記会社サーバー１０は、差損失格あるいは差益実現を判定し、該当会員のレント取引契約を満了して前記会員端末に通知し、差損失格時は前記レント保証金を差損金として精算し、差益実現時は前記レント保証金と約定した差益分配金を合算して差益金として精算する（第７過程）。
【０１００】
参考として、図１１は前記会社サーバー１０が本発明に係るエフエックスマージン取引商品とした分割商品のレント取引結果差損失格あるいは差益実現を判定し、会員のレント取引契約を満了して前記会員端末２０に通知する画面を例示した実施例である。
【０１０１】
図１１では会員のレント取引契約別に、例えば買いポジション分割商品と売りポジション分割商品別にレント終了時刻での契約満了結果を差益実現、差損失格で表示し、差益実現の場合、差益金の支給を入金状態で表示している。
【０１０２】
図１１のＡＰＩデータ項目の確認ボタン２５が選択されると、図１２〜図１５に示した通り、本発明に係るエフエックスマージン取引商品とした分割商品のレント取引結果差損失格あるいは差益実現を判定したデータテーブル画面を見ることができる。
【０１０３】
図１２は、２０１７年１０月１７日１５時２０分帯に会員がレント取り引きを契約した買いポジション分割商品が為替レート変動値上がり５０（↑５０）のリミットポジションに到達して差益実現を判定したデータテーブル画面であって、通貨ペア（ＧＢＰ／ＡＵＤ）に対して２０１７年１０月１７日１５時２０分のオーストラリアドル（ＡＵＤ）為替レート変動値がレント開始時刻の始値１．６０００１から１５時２１分帯に為替レート変動値上がり５０（↑５０）のリミットポジション、すなわち始値１．６０００１対比為替レート変動値５０が上がった１．６００５１に到達した後、１．６００６９までさらに上がったので差益実現を判定したことを示している。
【０１０４】
図１３は、２０１７年１０月１７日１５時１０分帯に会員がレント取り引きを契約した買いポジション分割商品が為替レート変動値下がり５０（↓５０）のストップポジションに到達して差損失格を判定したデータテーブル画面であって、通貨ペア（ＧＢＰ／ＡＵＤ）に対して２０１７年１０月１７日１５時１０分のオーストラリアドル（ＡＵＤ）為替レート変動値がレント開始時刻の始値１．５９９７４から１５時１３分帯に為替レート変動値下がり５０（↓５０）のストップポジション、すなわち始値１．５９９７４対比為替レート変動値５０が下がった１．５９９２４に到達した後、１．５９８８８までさらに下がったので差損失格を判定したことを示している。
【０１０５】
図１４は、２０１７年１０月１７日１５時００分帯に会員がレント取り引きを契約した売りポジション分割商品が為替レート変動値下がり５０（↓５０）のリミットポジションに到達して差益実現を判定したデータテーブル画面であって、通貨ペア（ＧＢＰ／ＡＵＤ）に対して２０１７年１０月１７日１５時００分のオーストラリアドル（ＡＵＤ）為替レート変動値がレント開始時刻の始値１．６０１０３から１５時０１分帯に為替レート変動値下がり５０（↓５０）のリミットポジション、すなわち始値１．６０１０３対比為替レート変動値５０が下がった１．６００５３に到達した後、１．６００４８までさらに下がったので差益実現を判定したことを示している。
【０１０６】
図１５は、２０１７年１０月１４日１５時２０分帯に会員がレント取り引きを契約した売りポジション分割商品が為替レート変動値上がり５０（↑５０）のストップポジションに到達して差損失格を判定したデータテーブル画面であって、通貨ペア（ＧＢＰ／ＡＵＤ）に対して２０１７年１０月１４日１５時２０分のオーストラリアドル（ＡＵＤ）為替レート変動値がレント開始時刻の始値１．６０８８８から１５時２３分帯に為替レート変動値上がり５０（↑５０）のストップポジション、すなわち始値１．６０８８８対比為替レート変動値５０が上がった１．６０９３８に到達した後、１．６０９５１までさらに上がって差損失格を判定したことを示している。
【０１０７】
前記のように、差損失格あるいは差益実現を判定した結果、もし差損失格が判定されると、前記会社サーバー１０は、前記レント保証金を差損金として精算して現在清算せずに保有中のエフエックスマージン取引商品に対するマージンコール（Ｍａｒｇｉｎ  Ｃａｌｌ）通知時に追加入金する予備委託証拠金として累積保管する。
【０１０８】
例えば、図３に例示した通り、為替レート変動値上がり５０（↑５０）であり、５０，０００ウォン（＄５０）をレント取り引きのためのレント保証金に設定したレント数量１ロットの買いポジション分割商品のレント取り引きが差損失格と判定されると、前記会社サーバー１０は、５０，０００ウォン（＄５０）のレント保証金を差損金として精算して予備委託証拠金として累積保管する。
【０１０９】
例えば、図３に例示した通り、為替レート変動値上がり５０（↑５０）であり、１００，０００ウォン（＄１００）をレント取り引きのためのレント保証金に設定したレント数量２ロットの買いポジション分割商品のレント取り引きが差損失格と判定されると、前記会社サーバー１０は、１００，０００ウォン（＄１００）のレント保証金を差損金として精算して予備委託証拠金として累積保管する。
【０１１０】
例えば、図３に例示した通り、為替レート変動値上がり５０（↑５０）であり、５，０００ウォン（＄５）をレント取り引きのためのレント保証金に設定したレント数量１ロットの１０％の買いポジション分割商品のレント取引（以下、第１レント数量１ロットの１０％レント取引）が差損失格と判定されると、前記会社サーバー１０は、５，０００ウォン（＄５）のレント保証金を差損金として精算して予備委託証拠金として累積保管する。
【０１１１】
例えば、図３に例示した通り、為替レート変動値上がり５００（↑５００）であり、５，０００ウォン（＄５）をレント取り引きのためのレント保証金に設定したレント数量１ロットの１０％の買いポジション分割商品のレント取引（以下、第２レント数量１ロットの１０％レント取引）が差損失格と判定されると、前記会社サーバー１０は、５，０００ウォン（＄５）のレント保証金を差損金として精算して予備委託証拠金として累積保管する。
【０１１２】
これとは異なり、前記のように、差損失格あるいは差益実現を判定した結果、もし差益実現が判定されると、前記会社サーバー１０は、前記レント保証金と約定した差益分配金を合算して差益金として精算して会員に支給する。
【０１１３】
例えば、前記の第１レント数量１ロットの１０％レント取り引きが差益実現と判定されると、前記会社サーバー１０は、５，０００ウォン（＄５）のレント保証金と図５のレント前払い契約書に例示した通り、約定した４，３００ウォン（＄４．３）の差益分配金を合算した差益金９，３００ウォン（＄９．３）を精算して会員に支給する。
【０１１４】
例えば、前記の為替レート変動値上がり５００（↑５００）の第２レント数量１ロットの１０％レント取り引きの差益分配金が前記の第１レント数量１ロットの１０％レント取り引きの差益分配金５，０００ウォン（＄５）に比べて１０倍多い４３，０００ウォン（＄４３）に約定した場合、前記の第２レント数量１ロットの１０％レント取り引きが差益実現と判定されると、前記会社サーバー１０は、５，０００ウォン（＄５）のレント保証金と約定した４３，０００ウォン（＄４３）の差益分配金を合算した差益金４８，０００ウォン（＄４８）を精算して会員に支給する。
【０１１５】
この時、前記会社サーバー１０は、会員のレント取引時に発生する前記差益金の合算金額が累積された前記予備委託証拠金未満となるように前記差益分配金を約定した比率（例えば、差益分配金の３０％以下）で減額して支給することによって、会員のレント取引時に前記差益金支給不履行（ｄｅｆａｕｌｔ）を防止することができる。
【０１１６】
例えば、会員のレント取引時に前記差益金支給不履行（ｄｅｆａｕｌｔ）を防止するために、前記の第２レント数量１ロットの１０％レント取り引きが差益実現と判定される場合、前記会社サーバー１０は、４３，０００ウォン（＄４３）の差益分配金を全額支給せずにあらかじめ約定した比率によって、例えば差益分配金の３０％以下に減額した３０，１００ウォン（＄３０．１）を差益分配金として支給することができる。
【０１１７】
参考として、図１６は図６または図７の出金申請ボタン（符号なし）が選択されることによって会員の差益金支給要請を確認し前記会員端末２０が表示する出金申請画面であって、本発明に係るレント保証金と約定した差益分配金を合算した差益金を支給する出金申請画面を例示した実施例である。
【０１１８】
図１６は、会員名表示窓２６、現金保有額表示窓２６ａ、出金対象者の顧客ＩＤ表示窓２６ｂ、顧客名表示窓２６ｃ、預金者表示窓２６ｄ、銀行表示窓２６ｅ、口座番号表示窓２６ｆ、出金申請額入力窓２６ｇ、出金申請ボタン２６ｈ、出金申請方法説明窓２６ｉ、顧客ＩＤと顧客名、携帯電話番号、預金者、銀行、口座番号、出金申請額、出金申請日時、および結果を含む出金申請内訳表示窓２６ｊを含む。
【０１１９】
図１６で出金取引内訳ボタン（符号なし）が選択されると前記会員端末２０には会員が出金申請をするたびに前記出金申請内訳表示窓２６ｊに表示される内容が出金申請日時別に整理されて出金取引内訳として表示される。
【０１２０】
図１６は、前記会員端末２０が出金申請額入力窓２６ｇに前記のレント保証金と約定した差益分配金を合算した差益金あるいは差益金の一部に該当する出金申請額が入力されたことを確認し出金申請ボタン２６ｈが選択されることによって会員の出金申請を要請する画面であり、図１７は会社サーバー１０が銀行口座振り替えを通じて会社口座から会員口座に出金申請額を決済完了した後、前記会員端末２０に会員の出金申請完了を知らせる画面である。
【０１２１】
図１６では、会員の現金保有額が１０，５００ウォンである状態で１０，０００ウォンの出金申請が出金申請内訳表示窓２６ｊに表示され、図１７では出金申請内訳表示窓２６ｊに出金完了が表示され現金保有額表示窓２６ａの現金保有額が５００ウォンに変更された状態を示している。
【０１２２】
会員が、前記の通り、会社サーバー１０が保有しているエフエックスマージン取引商品とした分割商品をレントする本発明に係るエフエックスマージン取引レント取引サービスを利用すると、レントした分割商品の差損失格時に前記の小額のレント保証金を差損金として精算し、差益実現時に前記レント保証金とレントしたエフエックスマージン取引商品に対して約定した差益分配金を合算して差益金として支給を受けるので、差損金を小額のレント保証金に限定して最小化しながらも差益金を最大化する大貪小失のエフエックスマージン取引の習慣を体得し、前記差益金を会員の実際の投資利益に実現して再びレント取り引きを契約することができる。
【０１２３】
以上で説明した本発明に係るエフエックスマージン取引レント取引方法は、前記の実施例に限定されず、以下の特許請求の範囲で請求する技術の要旨を逸脱することなく該当技術分野の通常の知識を有する者であれば誰でも変更して実施できる範囲まで、その技術的精神がある。
【図１】
0006464501.tif 000002
【図２】
0006464501.tif 000003
【図３】
0006464501.tif 000004
【図４】
0006464501.tif 000005
【図５】
0006464501.tif 000006
【図６】
0006464501.tif 000007
【図７】
0006464501.tif 000008
【図８】
0006464501.tif 000009
【図９】
0006464501.tif 000010
【図１０】
0006464501.tif 000011
【図１１】
0006464501.tif 000012
【図１２】
0006464501.tif 000013
【図１３】
0006464501.tif 000014
【図１４】
0006464501.tif 000015
【図１５】
0006464501.tif 000016
【図１６】
0006464501.tif 000017
【図１７】
0006464501.tif 000018